(57)【要約】  第１のモード及び第２のモードで通信チャネル（３）を介してデータを交互に受信するように構成される無線受信機（４）。第２のモードは、第１のモードより速いデータレートでデータを受信することを容易にする。無線受信機は、信号処理ユニット（４６）及び制御ユニット（４７）を具備する。信号処理ユニットは、通信チャネル（３）の品質条件を判定するように構成される。制御ユニット（４７）は、通信チャネル（３）が第２のモードでの動作を容易にするかを品質条件に基づいて判定し、少なくとも１つの構成条件を評価するように構成される。少なくとも１つの構成条件のうちの１つは、通信チャネル（３）が第２のモードでの動作を容易にすると判定されることである。制御ユニット（４６）は、無線受信機（４）を少なくとも１つの構成条件の全てが満たされる場合に第２のモードで動作するように構成するか又はその他の場合には第１のモードで動作するように構成するように更に構成される。無線受信機を制御する方法が更に開示される。
2009544207.tif 000002
【特許請求の範囲】
【請求項１】
第１のモード及び第２のモードで通信チャネル（３）を介してデータを交互に受信するように構成される無線受信機（４）を動作させる方法であって、
前記第２のモードは前記第１のモードより速いデータレートでデータを受信することを容易にし、
前記通信チャネル（３）の品質条件を判定するステップと、
前記通信チャネル（３）が前記第２のモードでの動作を容易にするかを前記品質条件に基づいて判定するステップと、
少なくとも１つの構成条件であって、そのうちの１つが前記通信チャネル（３）が前記第２のモードでの動作を容易にすると判定されることである構成条件を評価するステップと、
−前記少なくとも１つの構成条件の全てが満たされる場合に前記第２のモードで動作し、
−それ以外の場合に前記第１のモードで動作する
ように前記無線受信機（４）を構成するステップと、
を有することを特徴とする方法。
【請求項２】
前記無線受信機（４）を構成する前記ステップは、前記無線受信機（４）の自動利得制御ループ（３０）を構成するステップを含むことを特徴とする請求項１記載の方法。
【請求項３】
前記無線受信機（４）を前記第２のモードで動作するように構成する前記ステップは、前記自動利得制御ループ（３０）の自動利得制御ユニット（４５）をロックするステップを含むことを特徴とする請求項２記載の方法。
【請求項４】
前記無線受信機（４）を前記第１のモードで動作するように構成する前記ステップは、前記自動利得制御ループ（３０）のＤＣブロックユニット（４２）を有効にするステップを含み、
前記無線受信機（４）を前記第２のモードで動作するように構成する前記ステップは、前記ＤＣブロックユニット（４２）を無効にするステップを含む
ことを特徴とする請求項２又は３記載の方法。
【請求項５】
前記無線受信機（４）を前記第１のモードで動作するように構成する前記ステップは、前記自動利得制御ループ（３０）のＤＣブロックユニット（４２）のフィルタ（４２ａ）の遮断周波数を第１の値に設定するステップを含み、
前記無線受信機（４）を前記第２のモードで動作するように構成する前記ステップは、前記フィルタ（４２ａ）の遮断周波数を第２の値に設定するステップを含み、
前記第１の値は前記第２の値より大きい
ことを特徴とする請求項２又は３記載の方法。
【請求項６】
前記品質条件は、前記通信チャネル（３）の信号対干渉比であることを特徴とする請求項１から５のいずれか１項に記載の方法。
【請求項７】
前記通信チャネル（３）が前記第２のモードでの動作を容易にするかを判定する前記ステップは、
−前記信号対干渉比が閾値を超える場合に、前記通信チャネル（３）が前記第２のモードでの動作を容易にすると判定するステップと、
−それ以外の場合に、前記通信チャネル（３）が前記第２のモードでの動作を容易にしないと判定するステップと、
を含むことを特徴とする請求項６記載の方法。
【請求項８】
データの受信が前記第１のモードではなく前記第２のモードで容易に行われる任意のデータレートで、受信されるデータが前記通信チャネル（３）を介して送信されると予想されるかを前記通信チャネル（３）を介して受信される制御データに基づいて判定するステップを更に含み、
前記少なくとも１つの構成条件の１つは、データの受信が前記第１のモードではなく前記第２のモードで容易に行われる前記任意のデータレートで、受信される前記データが前記通信チャネル（３）を介して送信されると予想されることである
ことを特徴とする請求項１から７のいずれか１項に記載の方法。
【請求項９】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用されるデータパケットチャネライゼーションコードの数を前記制御データから導出するステップと、
データの受信が前記第１のモードではなく前記第２のモードで容易に行われる前記任意のデータレートで、受信される前記データが前記通信チャネル（３）を介して送信されると予想されるかを前記データパケットチャネライゼーションコードの数に基づいて判定するステップと、
を含むことを特徴とする請求項８記載の方法。
【請求項１０】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用される変調方式を前記制御データから導出するステップと、
データの受信が前記第１のモードではなく前記第２のモードで容易に行われる前記任意のデータレートで、受信される前記データが前記通信チャネルを介して送信されると予想されるかを前記変調方式に基づいて判定するステップと
を含むことを特徴とする請求項８又は９記載の方法。
【請求項１１】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用される符号化速度を前記制御データから導出するステップと、
データの受信が前記第１のモードではなく前記第２のモードで容易に行われる前記任意のデータレートで、受信される前記データが前記通信チャネル（３）を介して送信されると予想されるかを前記符号化速度に基づいて判定するステップと、
を含むことを特徴とする請求項８から１０のいずれか１項に記載の方法。
【請求項１２】
前記通信チャネル（３）は、高速ダウンリンクパケットアクセス通信チャネルであることを特徴とする請求項１から１０のいずれか１項に記載の方法。
【請求項１３】
前記通信チャネル（３）は、直交周波数分割多重通信チャネルであることを特徴とする請求項１から１１のいずれか１項に記載の方法。
【請求項１４】
コンピュータプログラムコードがコンピュータ機能を有する電子デバイスにより実行される時に請求項１から１３のいずれか１項に記載の方法を実行するための前記コンピュータプログラムコードを含むコンピュータプログラム。
【請求項１５】
コンピュータプログラムコードがコンピュータ機能を有する電子デバイスにより実行される時に請求項１から１３のいずれか１項に記載の方法を実行するための前記コンピュータプログラムコードを含むコンピュータプログラムを格納したコンピュータ可読媒体。
【請求項１６】
第１のモード及び第２のモードで通信チャネル（３）を介してデータを交互に受信するように構成される無線受信機（４）であって、
前記第２のモードが前記第１のモードより速いデータレートでデータを受信することを容易にし、
前記通信チャネル（３）の品質条件を判定するように構成された信号処理ユニット（４６）と、
制御ユニット（４７）であって、
前記通信チャネル（３）が前記第２のモードでの動作を容易にするかを前記品質条件に基づいて判定し、少なくとも１つの構成条件であって、そのうちの１つが前記通信チャネル（３）が前記第２のモードでの動作を容易にすると判定されることである、構成条件を評価し、
−前記少なくとも１つの構成条件の全てが満たされる場合に前記第２のモードで動作し、
−それ以外の場合に前記第１のモードで動作するように前記無線受信機（４）を構成するように構成された、
制御ユニット（４７）と、
を具備することを特徴とする無線受信機（４）。
【請求項１７】
自動利得制御ループ（３０）を更に具備し、
前記制御ユニット（４７）は前記自動利得制御ループ（３０）を構成することを特徴とする請求項１６記載の無線受信機。
【請求項１８】
前記自動利得制御ループ（３０）は、
可変利得増幅器（４１）と、
前記可変利得増幅器（４１）の利得を制御するように構成された自動利得制御ユニット（４５）と
を具備し、
前記制御ユニット（４７）は、前記第２のモードにおいて前記自動利得制御ユニット（４５）をロックするように構成されることを特徴とする請求項１７記載の無線受信機（４）。
【請求項１９】
前記自動利得制御ループ（３０）はＤＣブロックユニット（４２）を具備することを特徴とする請求項１７又は１８記載の無線受信機（４）。
【請求項２０】
前記制御ユニット（４７）は、前記第１のモードでは前記ＤＣブロックユニット（４２）を有効にし、前記第２のモードでは前記ＤＣブロックユニット（４２）を無効にする
ように構成されることを特徴とする請求項１９記載の無線受信機（４）。
【請求項２１】
前記ＤＣブロックユニット（４２）はフィルタ（４２ａ）を具備し、
前記制御ユニット（４７）は、前記フィルタ（４２ａ）の遮断周波数を前記第１のモードでは第１の値に設定し、前記第２のモードでは第２の値に設定するように構成され、
前記第１の値は前記第２の値より大きい
ことを特徴とする請求項１９記載の無線受信機（４）。
【請求項２２】
前記品質条件は、前記通信チャネル（３）の信号対干渉比であることを特徴とする請求項１６から２１のいずれか１項に記載の無線受信機（４）。
【請求項２３】
前記制御ユニット（４７）は、前記信号対干渉比が閾値を超える場合に前記通信チャネル（３）が前記第２のモードでの動作を容易にすると判定するように構成されることを特徴とする請求項２２記載の無線受信機（４）。
【請求項２４】
前記信号処理ユニット（４６）は、受信信号から制御データを抽出するように更に構成され、
前記制御ユニット（４７）は、データの受信が前記第１のモードではなく前記第２のモードで容易に行われる任意のデータレートで、受信されるデータが前記通信チャネル（３）を介して送信されると予想されるかを前記制御データに基づいて判定するように更に構成され、
前記少なくとも１つの構成条件の１つは、データの受信が前記第１のモードではなく前記第２のモードで容易に行われる前記任意のデータレートで、受信される前記データが前記通信チャネル（３）を介して送信されると予想されることである
ことを特徴とする請求項１６から２３のいずれか１項に記載の無線受信機（４）。
【請求項２５】
前記制御ユニット（４７）は、
受信される前記データに対して使用されるデータパケットチャネライゼーションコードの数を前記制御データから導出し、
データの受信が前記第１のモードではなく前記第２のモードで容易に行われる前記任意のデータレートで、受信される前記データが前記通信チャネル（３）を介して送信されると予想されるかを前記データパケットチャネライゼーションコードの数に基づいて判定する
ように更に構成されることを特徴とする請求項２４記載の無線受信機（４）。
【請求項２６】
前記制御ユニット（４７）は、
受信される前記データに対して使用される変調方式を前記制御データから導出し、
データの受信が前記第１のモードではなく前記第２のモードで容易に行われる前記任意のデータレートで、受信される前記データが前記通信チャネル（３）を介して送信されると予想されるかを前記変調方式に基づいて判定する
ように更に構成されることを特徴とする請求項２４又は２５記載の無線受信機（４）。
【請求項２７】
前記制御ユニット（４７）は、
受信される前記データに対して使用される符号化速度を前記制御データから導出し、
データの受信が前記第１のモードではなく前記第２のモードで容易に行われる前記任意のデータレートで、受信される前記データが前記通信チャネル（３）を介して送信されると予想されるかを前記符号化速度に基づいて判定する
ように更に構成されることを特徴とする請求項２４から２６のいずれか１項に記載の無線受信機（４）。
【請求項２８】
前記通信チャネル（３）は、高速ダウンリンクパケットアクセス通信チャネルであることを特徴とする請求項１６から２６のいずれか１項に記載の無線受信機（４）。
【請求項２９】
前記通信チャネル（３）は、直交周波数分割多重通信チャネルであることを特徴とする請求項１６から２７のいずれか１項に記載の無線受信機（４）。
【請求項３０】
請求項１６から２９のいずれか１項に記載の無線受信機（４）を具備する通信ユニット（１）。
【請求項３１】
前記通信ユニットは、携帯又はハンドヘルド移動無線通信ユニットと、移動無線端末と、移動電話と、ページャと、通信機と、電子オーガナイザと、スマートフォンとのいずれか１つであることを特徴とする請求項３０記載の通信ユニット（１）。
【発明の詳細な説明】
【技術分野】
【０００１】
本発明は、無線受信機及び無線受信機を動作させる方法に関する。
【背景技術】
【０００２】
ＧＳＭ（汎ヨーロッパデジタル移動通信システム）及びＷＣＤＭＡ（広帯域符号分割多元接続）のような現在のモバイルセルラ標準及び技術において、注目は回線交換、音声中心の使用からパケット交換データトラフィックに徐々に移っている。それに伴って、データレート（データ転送速度）の高速化の結果、ＧＳＭのＥＤＧＥ（拡張向け高速データレート）及びＷＣＤＭＡのＨＳＤＰＡ（高速ダウンリンクパケットアクセス）等の標準及び技術に付加がもたらされた。データレートの高速化と共に、無線トランシーバ回路網は更に複雑になる。例えば、要求される高速データレートを満足するために、送信／受信回路網における信号純度に対する要求は増加する。
【０００３】
低速データレートでの受信より高速データレートでの受信を困難にする機構は、送信情報のビット毎の有効エネルギーがデータレートの高速化と共に減少することである。そのために、送信／受信回路網における信号純度に対する要求が増加する。ビット毎のエネルギーが減少する時に信号純度を向上する従来の解決策は、雑音指数、周波数及びタイミングのずれ、位相雑音、イメージ除去及び受信信号に対するＤＣオフセットの提供等に対する非常に厳しい要求を満たす無線トランシーバを設計することである。従って、データレートが高速になる程、無線トランシーバの複雑さは増加する。この種の従来の解決策の問題は、結果として得られる回路網がより大きなチップ領域を占有し、その結果、コストが更に増加することである。また、そのような回路網の消費電力は相対的に高く、その結果、バッテリ動作時間は短縮される。通常、達成可能な最大データレートが使用されることは相対的に殆どないが、それらの負の副作用は常に存在する。その理由は、一般的なユーザが高速データレートを時折利用するためである。別の理由は、最大データレートが通常基地局の見通し線内で見つけられる非常に適した無線条件を必要とするためである。
【発明の概要】
【発明が解決しようとする課題】
【０００４】
目的は、複雑さが軽減された無線受信機を提供することである。
【課題を解決するための手段】
【０００５】
第１の面によると、無線受信機を動作させる方法が提供される。無線受信機は、第１のモード及び第２のモードで通信チャネルを介してデータを交互に受信するように構成される。第２のモードは、第１のモードより速いデータレートでデータを受信することを容易にする。
【０００６】
方法は、通信チャネルの品質条件を判定することを含む。方法は、通信チャネルが第２のモードでの動作を容易にするかを品質条件に基づいて判定することを更に含む。更に方法は、少なくとも１つの構成条件を評価することを含む。少なくとも１つの構成条件のうちの１つは、通信チャネルが第２のモードでの動作を容易にすると判定されることである。更に方法は、少なくとも１つの構成条件の全てが満たされる場合に無線受信機を第２のモードで動作するように構成し、あるいはその他の場合に無線受信機を第１のモードで動作するように構成することを含む。
【０００７】
無線受信機を構成することは、無線受信機の自動利得制御ループを構成することを含んでもよい。
【０００８】
無線受信機を第２のモードで動作するように構成することは、自動利得制御ループの自動利得制御ユニットをロックすることを含んでもよい。
【０００９】
無線受信機を第１のモードで動作するように構成することは、自動利得制御ループのＤＣブロックユニットを有効にすることを含んでもよい。無線受信機を第２のモードで動作するように構成することは、ＤＣブロックユニットを無効にすることを含んでもよい。
【００１０】
無線受信機を第１のモードで動作するように構成することは、ＤＣブロックユニットのフィルタの遮断周波数を第１の値に設定することを含んでもよい。無線受信機を第２のモードで動作するように構成することは、前記フィルタの遮断周波数を第２の値に設定することを含んでもよい。第１の値は、第２の値より大きくてもよい。
【００１１】
品質条件は、通信チャネルの信号対干渉比であってもよい。通信チャネルが第２のモードでの動作を容易にするかを判定することは、信号対干渉比が閾値を超える場合に通信チャネルが第２のモードでの動作を容易にすると判定することを含んでもよく、あるいはその他の場合に通信チャネルが第２のモードでの動作を容易にしないと判定することを含んでもよい。
【００１２】
方法は、データの受信が第１のモードではなく第２のモードで容易に行われる任意のデータレートで、受信されるデータが通信チャネルを介して送信されると予想されるかを通信チャネルを介して受信される制御データに基づいて判定することを更に含んでもよい。前記少なくとも１つの構成条件の１つは、データの受信が第１のモードではなく第２のモードで容易に行われる前記任意のデータレートで、受信されるデータが通信チャネルを介して送信されると予想されることであってもよい。
【００１３】
データの受信が第１のモードではなく第２のモードで容易に行われる前記任意のデータレートで、受信されるデータが通信チャネルを介して送信されると予想されるかを判定することは、受信されるデータに対して使用されるデータパケットチャネライゼーションコードの数を制御データから導出することを含んでもよい。データの受信が第１のモードではなく第２のモードで容易に行われる前記任意のデータレートで、受信されるデータが通信チャネルを介して送信されると予想されるかは、前記データパケットチャネライゼーションコードの数に基づいて判定されてもよい。
【００１４】
データの受信が第１のモードではなく第２のモードで容易に行われる前記任意のデータレートで、受信されるデータが通信チャネルを介して送信されると予想されるかを判定することは、受信されるデータに対して使用される変調方式を制御データから導出することとを含んでもよい。データの受信が第１のモードではなく第２のモードで容易に行われる前記任意のデータレートで、受信されるデータが通信チャネルを介して送信されると予想されるかは、前記変調方式に基づいて判定されてもよい。
【００１５】
データの受信が第１のモードではなく第２のモードで容易に行われる前記任意のデータレートで、受信されるデータが通信チャネルを介して送信されると予想されるかを判定することは、受信されるデータに対して使用される符号化速度を制御データから導出することを含んでもよい。データの受信が第１のモードではなく第２のモードで容易に行われる前記任意のデータレートで、受信されるデータが通信チャネルを介して送信されると予想されるかは、前記符号化速度に基づいて判定されてもよい。
【００１６】
通信チャネルは、例えば高速ダウンリンクパケットアクセス通信チャネル又は直交周波数分割多重通信チャネルであってもよい。
【００１７】
第２の面によると、コンピュータプログラム製品は、コンピュータプログラムコードがコンピュータ機能を有する電子デバイスにより実行される時に方法を実行するための前記コンピュータプログラムコードを含む。
【００１８】
第３の面によると、コンピュータ可読媒体は、コンピュータプログラムコードがコンピュータ機能を有する電子デバイスにより実行される時に方法を実行するための前記コンピュータプログラムコードを含むコンピュータプログラム製品を格納している。
【００１９】
第４の面によると、第１のモード及び第２のモードで通信チャネルを介してデータを交互に受信するように構成される無線受信機が提供される。第２のモードは、第１のモードより速いデータレートでデータを受信することを容易にする。
【００２０】
無線受信機は、通信チャネルの品質条件を判定するように構成された信号処理ユニットを具備する。無線受信機は、通信チャネルが第２のモードでの動作を容易にするかを品質条件に基づいて判定するように構成される制御ユニットを更に具備する。制御ユニットは、少なくとも１つの構成条件を評価するように更に構成される。少なくとも１つの構成条件のうちの１つは、通信チャネルが第２のモードでの動作を容易にすると判定されることである。更に制御ユニットは、少なくとも１つの構成条件の全てが満たされる場合に無線受信機を第２のモードで動作するように構成し、あるいはその他の場合に無線受信機を第１のモードで動作するように構成するように構成される。
【００２１】
無線受信機は、自動利得制御ループを具備してもよい。制御ユニットは、自動利得制御ループを構成するように構成されてもよい。
【００２２】
自動利得制御ループは、可変利得増幅器と、可変利得増幅器の利得を制御するように構成された自動利得制御ユニットとを具備してもよい。制御ユニットは、第２のモードにおいて自動利得制御ユニットをロックするように構成されてもよい。
【００２３】
自動利得制御ループは、ＤＣブロックユニットを具備してもよい。
【００２４】
制御ユニットは、第１のモードにおいてＤＣブロックユニットを有効にし且つ第２のモードにおいてＤＣブロックユニットを無効にするように構成されてもよい。
【００２５】
ＤＣブロックユニットはフィルタを具備してもよい。制御ユニットは、第１のモードにおいてフィルタの遮断周波数を第１の値に設定するように構成されてもよい。制御ユニットは、第２のモードにおいて前記遮断周波数を第２の値に設定するように構成されてもよい。第１の値は、第２の値より大きくてもよい。
【００２６】
品質条件は、通信チャネルの信号対干渉比であってもよい。制御ユニットは、信号対干渉比が閾値を超える場合に通信チャネルが第２のモードでの動作を容易にすると判定するように構成されてもよい。
【００２７】
信号処理ユニットは、受信信号から制御データを抽出するように更に構成されてもよい。制御ユニットは、データの受信が第１のモードではなく第２のモードで容易に行われる任意のデータレートで、受信されるデータが通信チャネルを介して送信されると予想されるかを前記制御データに基づいて判定するように更に構成されてもよい。前記少なくとも１つの構成条件の１つは、データの受信が第１のモードではなく第２のモードで容易に行われる前記任意のデータレートで、受信されるデータが通信チャネルを介して送信されると予想されることであってもよい。
【００２８】
制御ユニットは、受信されるデータに対して使用されるデータパケットチャネライゼーションコードの数を制御データから導出するように構成されてもよい。制御ユニットは、データの受信が第１のモードではなく第２のモードで容易に行われる前記任意のデータレートで、受信されるデータが通信チャネルを介して送信されると予想されるかを前記データパケットチャネライゼーションコードの数に基づいて判定するように更に構成されてもよい。
【００２９】
制御ユニットは、受信されるデータに対して使用される変調方式を制御データから導出するように構成されてもよい。制御ユニットは、データの受信が第１のモードではなく第２のモードで容易に行われる前記任意のデータレートで、受信されるデータが通信チャネルを介して送信されると予想されるかを前記変調方式に基づいて判定するように更に構成されてもよい。
【００３０】
制御ユニットは、受信されるデータに対して使用される符号化速度を制御データから導出するように構成されてもよい。制御ユニットは、データの受信が第１のモードではなく第２のモードで容易に行われる前記任意のデータレートで、受信されるデータが通信チャネルを介して送信されると予想されるかを前記符号化速度に基づいて判定するように更に構成されてもよい。
【００３１】
通信チャネルは、例えば高速ダウンリンクパケットアクセス通信チャネル又は直交周波数分割多重通信チャネルであってもよい。
【００３２】
第５の面によると、通信ユニットは無線受信機を具備する。通信ユニットは、例えば携帯又はハンドヘルド移動無線通信ユニット、移動無線端末、移動電話、ページャ、通信機、電子オーガナイザ又はスマートフォンであってもよい。
【００３３】
本発明の更なる実施形態を従属請求項に規定する。
【００３４】
尚、本明細書で使用される場合の用語「具備する（comprises/comprising）」は、記載された特徴、数字、ステップ又は構成要素の存在を特定するために使用されるが、１つ以上の他の特徴、数字、ステップ、構成要素又はそれらの集合の存在又は追加を除外するわけではない。
【図面の簡単な説明】
【００３５】
本発明の実施形態の更なる目的、特徴及び利点は、添付の図面を参照して以下の詳細な説明を読むことにより明らかとなるだろう。
【図１】移動通信ユニット及び基地局を示す概略図である。
【図２】一実施形態に係る無線受信機を示すブロック図である。
【図３ａ】、
【図３ｂ】、
【図３ｃ】ＤＣブロックユニットの実施形態を示すブロック図である。
【図４】無線受信機を動作させる方法の一実施形態を示すフローチャートである。
【図５】図４のフローチャートの１つのステップの一実施形態を示すフローチャートである。
【図６】図４のフローチャートの１つのステップの別の実施形態を示すフローチャートである。
【発明を実施するための形態】
【００３６】
図１は、本発明が適用されてもよい環境を示す。移動電話等の移動通信ユニット１は、通信チャネル３を介して無線基地局２と通信する。通信チャネル３は、例えば広帯域符号分割多元接続（ＷＣＤＭＡ）通信チャネルであってもよい。この説明における一例としてＷＣＤＭＡの例を使用する。しかし、本発明はＷＣＤＭＡに限定されず、他の種類の通信環境において適用されてもよく、また図１に示す例以外の例に対して適用されてもよい。例えば、本発明は、提案された３ＧＰＰ Long Term Evolutionシステム等の直交周波数分割多重（ＯＦＤＭ）システムにおいて適用可能である。
【００３７】
高速ダウンリンクパケットアクセス（ＨＳＤＰＡ）は、ＷＣＤＭＡ技術に加えられたものである。ＨＳＤＰＡは、複数の異なるデータレートを指定する。ＨＳＤＰＡは、実際のデータトラフィックを含む高速物理ダウンリンク共有チャネル（ＨＳ−ＰＤＳＣＨ）とＨＳ−ＰＤＳＣＨで送信されたデータの受信及び復調方法に関する制御データを含む高速共有制御チャネル（ＨＳ−ＳＣＣＨ）とを含む種々の物理ダウンリンクチャネルの集合を含む。
【００３８】
通信チャネル３は、本明細書において参照される場合、複数の物理チャネルを含んでもよい。例えばこれは、ＨＳＤＰＡのＨＳ−ＳＣＣＨ等の制御データに対する物理チャネル及びＨＳＤＰＡのＨＳ−ＰＤＳＣＨ等のデータトラフィックに対する物理チャネル、並びに種々の他のアップリンク及びダウンリンク物理チャネルを含んでもよい。従って、本明細書において、任意のそのような物理チャネルを介して受信又は送信されたデータは、通信チャネル３を介して受信又は送信されたデータと呼ばれる。
【００３９】
ＨＳＤＰＡで利用可能な最大データレートは、通信チャネル３の特定の条件下においてのみ使用される。そのような特定の条件の一例は、通信チャネル３が相対的に少ない雑音及び干渉を伴う加法性白色ガウス雑音（ＡＷＧＮ）チャネルのようなチャネルであることである。例えば、ＨＳＤＰＡで１０Ｍｂｉｔ／ｓ以上のデータレートを容易にするためには、１５ｄＢより大きい信号対干渉比（ＳＩＲ）が必要とされる。
【００４０】
最大データレートの使用を可能にする特定のチャネル条件下において、通常、達成可能なデータレートは受信機回路網において発生する信号劣化により制限される。低速データレートの使用のみを可能にする低品質のチャネル条件下において、通常、達成可能なデータレートは、例えばマルチパスフェージング及び外部干渉により通信チャネル３で発生する信号劣化により制限される。これらの事実は、以下に説明する実施形態において利用される。最大データレートの使用を可能にする特定のチャネル条件下において、無線受信機４（図２）は、例えば無線受信機の部品を再構成、有効及び／又は無効にすることにより構成されてもよい。無線受信機４の前記部品は、通信チャネル３において発生する信号劣化を補償するために低品質のチャネル条件下で使用される部品であってもよい。無線受信機４を構成することにより、無線受信機回路網で発生する信号劣化は低減される。従って、無線受信機４を構成することにより、無線受信機４は、最大データレートでデータを受信することに更に適する。特定の実施形態の説明において、実行されてもよい構成の例を与える。
【００４１】
図２は、自動利得制御（ＡＧＣ）ループ３０を含む無線受信機４の一実施形態を示すブロック図である。無線受信機４は、第１のモード及び第２のモードで通信チャネル３を介してデータを交互に受信するように構成される。第２のモードは、第１のモードより速いデータレートでデータを受信することを容易にする。無線受信機４は、例えば移動通信ユニット１（図１）に含まれてもよい。
【００４２】
図２の実施形態において、ＡＧＣループ３０は、無線受信機４の内部で受信信号の信号レベルを安定させるように構成される。信号レベルは、例えば平均電力レベルであってもよい。ＨＳＤＰＡの実施形態によると、平均電力レベルは、限定しない例である１つ、２つ又は３つのタイムスロット等の１つ以上のＨＳＤＰＡタイムスロットにわたる平均電力レベルであってもよい。
【００４３】
本明細書で説明する実施形態において、第１のモードは、通信チャネルの相対的に低い品質の条件下で使用されてもよいモードである。第１のモードにおいて、無線受信機４の部品は、チャネルにおいて発生する信号劣化を補償するように構成される。
【００４４】
一方、第２のモードは、相対的に適切なチャネル条件下で使用されてもよいモードである。第２のモードにおいて、無線受信機４の部品は、第１のモードにおける動作と比較して部品自体により発生される信号劣化を低減するように構成される。相対的に低い品質のチャネル条件下で第２のモードを使用すると、第１のモードを使用する場合と比較して受信機のロバスト性が低下する場合がある。従って、いくつかの実施形態によると、第２のモードは、通信チャネル３が第２のモードでの動作を容易にする場合にのみ使用されるべきである。
【００４５】
ＨＳＤＰＡの一実施形態によると、第１のモードではなく第２のモードで容易に行われるデータレートは、１０Ｍｂｉｔ／ｓ以上のデータレートである。ＨＳＤＰＡの別の実施形態によると、第１のモードではなく第２のモードで容易に行われるデータレートは、ＨＳＤＰＡにおける最大データレート（１４Ｍｂｉｔ／ｓ）のみを含む。他の実施形態において、他のデータレートが第１のモードではなく第２のモードで容易にされてもよい。種々の応用例及び受信機の実現例の間でそれらのデータレートは変動してもよい。シミュレーション及び測定等による実験は、第１のモードではなく第２のモードで容易に行われるデータレートを判定し且つ第２のモードでの動作を容易にするチャネル条件を判定する必要がある場合がある。
【００４６】
図２の実施形態において、無線受信機４はフロントエンド（ＦＥ）ユニット４０を具備する。ＡＧＣループ３０は、ＦＥユニット４０の出力に動作可能に接続された可変利得増幅器（ＶＧＡ）４１と、ＶＧＡ４１の出力に動作可能に接続されたＤＣブロックユニット４２とを具備する。更に、ＡＧＣループ３０は、ＤＣブロックユニット４２の出力に動作可能に接続されたアナログデジタル変換器（ＡＤＣ）４３と、ＡＤＣ４３のデジタル出力信号をフィルタリングするように構成されたデジタル低域（ＬＰ）フィルタ４４とを具備する。
【００４７】
ＬＰフィルタ４４の出力は、ＡＧＣループ３０に含まれるＡＧＣユニット４５に接続される。ＬＰフィルタ４４の出力は、無線受信機４に含まれる信号処理（ＳＰ）ユニット４６に更に接続される。
【００４８】
無線受信機４は、ＳＰユニット４６から情報を受信するように構成される制御ユニット（ＣＵ）４７を更に具備する。ＣＵ４７は、ＳＰユニット４６からＣＵ４７により受信される情報に基づいて無線受信機４を第１のモード又は第２のモードで動作するように構成するように更に構成される。
【００４９】
ＡＧＣユニット４５、ＳＰユニット４６及びＣＵ４７の各々は、例えばハードウェア、ソフトウェア又はそれらの組合せで実現されてもよい。例えば、前記ユニットの各々は、プロセッサ、特定用途向けハードウェアユニット又はそれらの組合せ等のプログラマブルハードウェアユニットにより実現されてもよい。
【００５０】
図２に示すように、ＤＣブロックユニット４２は、高域（ＨＰ）フィルタ又は帯域（ＢＰ）フィルタ等のフィルタ４２ａを具備してもよい。
【００５１】
次に、図２の実施形態に係る無線受信機４の種々のブロックの機能性を更に詳細に説明する。ＦＥユニット４０は、例えば基地局２（図１）等の無線受信機の外部のユニットから送信される無線周波数（ＲＦ）信号をダウンコンバートするように構成される。更に、ＦＥユニット４０は、帯域信号又は中間周波数（ＩＦ）信号等のＲＦ信号より低い周波数を有する信号を出力するように構成される。ＲＦ信号は、ＨＳＤＰＡのＨＳ−ＳＣＣＨを介して送信される制御データ等の制御データ及び／又はＨＳＤＰＡのＨＳ−ＰＤＳＣＨを介して送信されるデータ等の実際のデータトラフィックを含む。ＦＥユニット４０は、例えば周知の方法で前記ダウンコンバートを実行するように構成されたフィルタ及びミクサを使用して実現されてもよい。
【００５２】
ＶＧＡ４１は可変利得を有する。可変利得は、ＶＧＡ４１からの出力信号に対して相対的に安定した信号レベルを取得するためにＡＧＣユニット４５により制御される。前記信号レベルは、例えば平均電力レベルであってもよい。
【００５３】
ＤＣブロックユニット４２は、ＶＧＡ４１からの出力信号のＤＣオフセットを除去又は低減するように構成される。ＤＣブロックユニット４２は、ＶＧＡ４１の出力における徐々に変動する不要な信号を抑制又は減衰させるように更に構成される。そのような徐々に変動する信号は、例えばＶＧＡ４１の利得を調整することにより発生する可能性がある。上述のように、ＤＣブロックユニット４２はフィルタ４２ａを含んでもよく、フィルタ４２ａは、ＤＣオフセットを除去又は減少させ且つ／又はＶＧＡ４１からの出力信号に存在する徐々に変動する不要な信号を減衰させるための高域（ＨＰ）フィルタ又は帯域（ＢＰ）フィルタであってもよい。
【００５４】
ＡＤＣ４３は、ＤＣブロックユニット４２からの出力信号をデジタル出力信号に変換するように構成され、それによりデジタル信号処理技術を使用する更なる信号処理が可能になる。
【００５５】
ＬＰフィルタ４４は、ＡＤＣ４３からのデジタル出力信号の信号帯域外の雑音及び歪みを抑制又は除去するように構成される。
【００５６】
ＡＧＣユニット４５は、ＬＰフィルタ４４からの出力信号の平均電力レベル等の信号レベルを例えば計算、推定又は測定することにより判定するように構成される。ＡＧＣユニット４５は、前記信号レベルに基づいてＶＧＡ４１の利得を制御するように更に構成され、それによりＶＧＡ４１からの出力信号の信号レベルの変動を抑制する。
【００５７】
ＳＰユニット４６は、通信チャネル３の品質条件を判定するように構成される。品質条件は受信信号に基づく。
【００５８】
ＳＰユニット４６は、ＬＰフィルタ４４の出力に基づいてＨＳＤＰＡのＨＳ−ＳＣＣＨにおける制御データ等の制御データを抽出又は導出するように更に構成される。いくつかの実施形態において、ＳＰユニット４６は、チャネル等化等の追加の信号処理タスクを実行するように構成される。ＳＰユニット４６は、更なる処理のために可能性としてチャネル等化後にＬＰフィルタ４４からの出力を転送するように構成される。更なる処理は、例えば受信データの復調及び回復を含んでもよい。
【００５９】
ＳＰユニット４６は、通信チャネル３の品質条件に関する情報をＣＵ４７に通信するように構成される。ＣＵ４７は、通信チャネル３が第２のモードでの動作を容易にするかを品質条件に基づいて判定するように構成される。
【００６０】
一実施形態によると、品質条件は通信チャネル３のＳＩＲである。前記ＳＩＲは、例えば受信パイロット信号のＳＩＲであってもよい。
【００６１】
いくつかの実施形態において、ＣＵ４７は、ＳＩＲを閾値と比較するように構成される。ＣＵ４７は、ＳＩＲが閾値を上回る場合に通信チャネル３が第２のモードでの動作を容易にすると判定するように更に構成される。閾値は、種々の実施形態において異なってもよい。第１のモードではなく第２のモードにおいて容易に行われるデータレートが１０Ｍｂｉｔ／ｓ以上のデータレートであるいくつかのＨＳＤＰＡの実施形態において、少なくとも１５ｄＢの閾値が適切である。
【００６２】
別の実施形態によると、品質条件は、通信チャネル３の電力遅延プロファイル（ＰＤＰ）である。単一の支配的なピークを含むＰＤＰは、例えば移動通信ユニット１と基地局２（図１）との間の明確な見通し線を示す。しかし、同等の大きさのいくつかのピークを有するＰＤＰは、例えば障害物への信号反射のためにマルチパスフェージングが存在することを示す。通信チャネル３は、例えばＰＤＰの最大ピークと２番目に大きいピーク又は全ての他のピーク等のＰＤＰの１つ以上の他のピークとの電力比が閾値を超える場合に第２のモードでの動作を容易にすると判定されてもよい。
【００６３】
更に別の実施形態によると、品質条件はＳＩＲ及びＰＤＰの組合せである。本実施形態において、ＳＩＲが第１の閾値を上回り且つＰＤＰのピーク間の上記電力比が第２の閾値を上回る場合、通信チャネル３は第２のモードでの動作を容易にすると判定される。
【００６４】
ＣＵ４７は、少なくとも１つの構成条件を評価するように構成される。ＣＵ４７は、少なくとも１つの構成条件の全てが満たされる場合に無線受信機４を第２のモードで動作するように構成し且つ満たされない場合に無線受信機４を第１のモードで動作するように構成するように更に構成される。実施形態によると、少なくとも１つの構成条件の１つは、通信チャネル３が第２のモードでの動作を容易にすると判定されることである。
【００６５】
いくつかの実施形態によると、ＣＵ４７は、通信チャネル３が第２のモードでの動作を容易にすると判定される場合に無線受信機４を第２のモードで動作するように構成し且つその他の場合、すなわち通信チャネル３が第２のモードでの動作を容易にしないと判定される場合に無線受信機４を第１のモードで動作するように構成するように構成される。それらの実施形態において、上述の構成条件、すなわち通信チャネル３が第２のモードでの動作を容易にすると判定されることが唯一の構成条件である。
【００６６】
他の実施形態によると、ＣＵ４７は、通信チャネル３が第２のモードでの動作を容易にすると判定され且つ１つ以上の追加の構成条件が満たされる場合に無線受信機４を第２のモードで動作するように構成し、上記以外の場合に第１のモードで動作するように無線受信機４を構成するように構成される。
【００６７】
一実施形態において、前記追加の構成条件は、データの受信が第１のモードではなく第２のモードで容易に行われるデータレートで、受信されるデータが通信チャネル３を介して送信されると予想されることである。本明細書において、データの受信が第１のモードではなく第２のモードで容易に行われるデータレートは、高速データレートと呼ばれる。同様に、データの受信が第１のモードで容易に行われるデータレートは、低速データレートと呼ばれる。本実施形態において、ＳＰユニット４６は、制御データをＣＵ４７に通信するように更に構成される。ＣＵ４７は、受信されるデータが高速データレートで通信チャネル３を介して送信されると予想されるかを制御データに基づいて判定するように更に構成される。
【００６８】
一実施形態によると、制御ユニット４７は、以下に説明するように少なくともＡＧＣループ３０を構成することにより無線受信機４を第２のモードで動作するように構成するように構成される。
【００６９】
ＡＧＣユニット４５がＶＧＡ４１の利得を変更する場合、動的に変動するＤＣレベルシフトはＶＧＡ４１の出力において発生する。これらの動的に変動するＤＣレベルシフトは、ＡＧＣユニット４５がＶＧＡ４１の利得を更新する時点でレベルを変更する略区分的一定信号として現れてもよい。それらのＤＣレベルシフトは、ＤＣブロックユニット４２によりある程度抑制される。しかし、ＤＣレベルシフトによるスパイク又はグリッチ等の信号不純物は、ＤＣブロックユニット４２の出力に依然として存在する。そのような信号不純物はビット誤りに影響を与え、無線受信機のビット誤り率（ＢＥＲ）は悪化する。
【００７０】
通信チャネル３が第２のモードでの動作を容易にする場合、ＶＧＡ４１への入力信号の信号レベルは相対的に安定している。ＶＧＡ４１の入力信号の信号レベルが相対的に安定している場合、ＶＧＡ４１の利得は必ずしも調整される必要はない。そのような条件の例は、平均信号電力が１．５ｄＢ未満で変動する場合であるがこれに限定されない。従って、ＡＧＣユニット４５はロックされてもよい。例えば、ＶＧＡ４１の利得を制御するために使用されるＡＧＣユニット４５からの出力信号は固定値に設定されてもよい。ＡＧＣユニット４５をロックすることにより、上述のＤＣレベルシフトは削除される。これにより、この場合はＶＧＡ４１において無線受信機４で発生する信号劣化は低減され、無線受信機のＢＥＲは向上される。従って、一実施形態において、ＣＵ４７は、ＡＧＣユニット４５をロックすることにより無線受信機４を第２のモードで動作するように構成するように構成され、これにより高速データレートでのデータ受信は容易になる。
【００７１】
他の実施形態において、ＡＧＣユニット４５をロックするのではなく、ＡＧＣユニット４５は、第２のモードにおいて、第１のモードでの動作と比較してＶＧＡ４１の利得の調整を減少するように構成される。これにより、ＶＧＡ４１の出力におけるＤＣレベルシフトにより発生する信号劣化は、第１のモードと比較して第２のモードにおいて低減される。例えば一実施形態において、ＡＧＣユニット４５の更新期間、すなわちＡＧＣユニット４５がＶＧＡ４１の利得を更新する時点の間の時間の長さは、第１のモードと比較して第２のモードにおいて増加する。これにより、高速データレートでのデータ受信は容易になる。別の実施形態によると、ＡＧＣユニット４５は、第２のモードにおいて、信号レベルが閾値を超えるように変更された時にのみＶＧＡ４１の利得を更新するように構成されてもよい。例えば、閾値は事前に定義されてもよい。
【００７２】
ＤＣブロックユニット４２は、いわゆるチップ間干渉（ＩＣＩ）の発生源である可能性がある。例えばＨＳＤＰＡにおいて、ＤＣブロックユニット４２により発生されるＩＣＩはビット誤りに影響を及ぼし、無線受信機のＢＥＲを悪化させることがある。この問題は、データレートが増加するにつれて更に悪化する。ＡＧＣユニット４５が上述のようにロックされるか又は第１のモードと比較してＶＧＡ４１の利得の調整を減少するように構成される場合、徐々に変動する不要な信号及びＤＣレベルシフトの抑制に関するＤＣブロックユニット４２に対する要求は緩和される。
【００７３】
更に、通信チャネル３が第２のモードでの動作を容易にする場合、通信チャネル３が第２のモードでの動作を容易にしない場合や更にはＡＧＣユニット４５がロックされないか又はＶＧＡ４１の利得の調整を減少するように構成されない場合と比較して、ＶＧＡ４１の出力におけるＤＣレベルシフトにより発生する信号劣化は低減される。これは、ＶＧＡ４１への入力信号の信号レベルが相対的に安定しており、そのため、ＶＧＡ４１からの出力信号の信号レベルを安定させるために必要とされる利得の調整が減少するためである。従って、ＡＧＣユニット４５がロックされないか又はＶＧＡ４１の利得の調整を減少するように構成されない場合でも、徐々に変動する不要な信号及びＤＣレベルシフトの抑制に関するＤＣブロックユニット４２に対する要求は緩和されるだろう。
【００７４】
上述のように、徐々に変動する不要な信号及びＤＣレベルシフトの抑制に関するＤＣブロックユニット４２に対する要求が緩和される場合、ＤＣブロックユニット４２は、例えばＶＧＡ４１の出力をＡＤＣ４３の入力に直接渡すことにより無効にされる。あるいは、ＤＣブロックユニット４２のＨＰ又はＢＰフィルタ４２ａの低遮断周波数は、無線受信機４が第１のモードで動作するように構成される場合に使用される低遮断周波数と比較して減少される。ＤＣブロックユニット４２により発生されるＩＣＩは、ＤＣブロックユニット４２を無効にすることにより削除されるか又は前記低遮断周波数を減少することにより減少される。これにより、信号純度は向上する。その結果、無線受信機のＢＥＲも減少される。
【００７５】
一実施形態において、ＣＵ４７は、ＤＣブロックユニット４２を無効にすることにより無線受信機４を第２のモードで動作するように構成するように構成される。これにより、高速データレートでのデータ受信は容易になる。また、ＡＧＣユニット４５は、ロックされてもよく又は第１のモードと比較してＶＧＡ４１の利得の調整を減少するように構成されてもよい。更にＣＵ４７は、ＤＣブロックユニット４２を有効にすることにより無線受信機を第１のモードで動作するように構成するように構成される。
【００７６】
別の実施形態において、ＣＵ４７は、フィルタ４２ａの前記遮断周波数を第１の値に設定することにより無線受信機４を第１のモードで動作するように構成するように構成される。更にＣＵ４７は、フィルタ４２ａの前記遮断周波数を第１の値より小さい第２の値に設定することにより無線受信機４を第２のモードで動作するように構成するように構成される。これにより、高速データレートでのデータ受信は容易になる。更に、第２のモードでの動作に対して、ＡＧＣユニット４５はロックされてもよく又は第１のモードと比較してＶＧＡ４１の利得の調整を減少するように構成されてもよい。
【００７７】
通信チャネル３が第２のモードでの動作を容易にしない場合、ＡＧＣユニット４５及び／又はＤＣブロックユニット４２の上述の構成を作成することにより受信機を第２のモードで動作するように構成することは、無線受信機のロバスト性を非常に低下させ、また可能性として無線受信機のＢＥＲを悪化させる可能性がある。
【００７８】
図２に示す実施形態は、単に一例として考えられるべきである。図２に示すユニットのうちのいくつかは、いくつかの実施形態において省略されてもよく、他の追加のユニットが含まれてもよい。更にいくつかの実施形態において、無線受信機４のユニットは図２に示される方法以外の方法で構成及び接続されてもよい。例えば一実施形態によると、ＡＧＣループ３０全体がアナログである。また、ＡＤＣ４３及びデジタルＬＰフィルタ４４はＡＧＣループ３０において省略され、ＤＣブロックユニット４２からの出力はＡＧＣユニット４５に直接供給される。本実施形態において、ＡＧＣユニット４５はアナログ入力信号に対して動作する。ＡＧＣループ３０は、例えばＡＧＣループ３０内の適切な動作点を保証するためのレベルシフティング回路網（不図示）を更に具備してもよい。更に本実施形態において、ＤＣブロックユニット４２の出力は、ＳＰユニット４６の入力に供給される。ＳＰユニット４６は、ＤＣブロックユニット４２からの出力をデジタル信号に変換するためのＡＤＣ（不図示）を具備してもよく、それによりＳＰユニット４６内でデジタル信号処理技術の使用を可能にする。
【００７９】
図３ａは、ＤＣブロックユニット４２の一実施形態を示すブロック図である。無線受信機４が第１のモード及び第２のモードでそれぞれ動作するように構成される場合、ＤＣブロックユニット４２は、ＣＵ４７により有効及び無効にされるように構成される。第１のモードでの動作に対しては、ＤＣブロックユニット４２への入力信号は、ＣＵ４７から制御されるスイッチ６０を介してフィルタ４２ａに向けられる。第２のモードでの動作に対しては、スイッチ６０はフィルタ４２ａを回避するようにＣＵ４７により設定され、それにより、ＤＣブロックユニット４２への入力信号はＤＣブロックユニット４２の出力信号として直接転送され、ＤＣブロックユニット４２は無効にされる。
【００８０】
図３ｂは、ＤＣブロックユニット４２の別の実施形態を示す。本実施形態において、フィルタ４２ａは制御可能な低遮断周波数を有し、これはＣＵ４７から制御されてもよい。フィルタ４２ａは、第１のサブフィルタ６１及び第２のサブフィルタ６２を具備する。第１のサブフィルタ６１の低遮断周波数は、前記第１の値を有する。第２のサブフィルタ６２の低遮断周波数は、前記第２の値を有する。ＤＣブロックユニット４２への入力信号は、第１のサブフィルタ６１及び第２のサブフィルタ６２の双方への入力信号として供給される。ＣＵ４７から制御されるスイッチ６３は、第１のサブフィルタ６１又は第２のサブフィルタ６２からの出力信号を選択し、選択した出力信号をＤＣブロックユニット４２の出力信号として転送する。第１のモードでの動作に対して、スイッチ６３は、第１のサブフィルタ６１からの出力信号を選択するように設定される。第２のモードでの動作に対して、スイッチ６３は、第２のサブフィルタ６２からの出力信号を選択するように設定される。他の実施形態によると、フィルタ４２ａの遮断周波数を設定する際に更なる自由度を得るために、３つ以上のサブフィルタが採用されてもよい。
【００８１】
いくつかの実施形態によると、フィルタ４２ａは、抵抗器及び／又はコンデンサ等の受動素子と組み合わせて演算増幅器及び／又は相互コンダクタ等の能動素子を使用して実現される。例えばフィルタ４２ａは、能動ＲＣフィルタ又はＧｍＣフィルタとして実現されてもよい。フィルタのコンデンサに対するキャパシタンス値を変更することによりそのようなフィルタの実現例の周波数応答を調節又は調整する方法は周知である。図３ｃは、ＤＣブロックユニット４２の一実施形態を示す。図３ｃにおいて、フィルタ４２ａは、例えば能動素子及び受動素子であるフィルタ素子６４のブロックとコンデンサバンク６５とを具備する。コンデンサバンク６５は、キャパシタンス値及び従ってフィルタ４２ａの遮断周波数を変更するためにフィルタ４２ａの内部ノードに個別に接続されるか又は内部ノードから切断されてもよい複数の切り替え可能なコンデンサを具備する。これは、例えば周知のフィルタ調節技術に従って実行されてもよい。図３ｃの実施形態において、コンデンサバンク６５及び従ってフィルタ４２ａの遮断周波数はＣＵ４７から制御される。
【００８２】
図４は、無線受信機４を動作させる方法の一実施形態を示すフローチャートである。通信チャネル３の品質条件は、ステップ１１０で判定する。ステップ１２０において、通信チャネル３が第２のモードでの動作を容易にするかが判定される。無線受信機４は、ステップ１３０において第１のモード又は第２のモードで動作するように構成される。
【００８３】
一実施形態によると、品質条件は、パイロット信号のＳＩＲ等の通信チャネル３のＳＩＲである。ステップ１１０において品質条件を判定することは、例えば測定又は推定することによりＳＩＲを判定することを含む。更に、ステップ１２０において通信チャネル３が第２のモードでの動作を容易にするかを判定することは、ＳＩＲを閾値と比較することを含む。例えばステップ１２０において、ＳＩＲが閾値を超える場合に通信チャネル３が第２のモードでの動作を容易にすると判定されてもよい。
【００８４】
ステップ１３０において、無線受信機４は、少なくとも１つの構成条件の全てが満たされる場合に第２のモードで動作し、満たされない場合に第１のモードで動作するように構成される。実施形態によると、１つの構成条件は、通信チャネル３が第２のモードでの動作を容易にすると判定されることである。
【００８５】
方法のいくつかの実施形態によると、ステップ１３０において、品質条件にのみ基づいて、無線受信機４は第２のモードで動作するように構成される。例えば無線受信機は、品質条件に基づいて通信チャネル３が第２のモードでの動作を容易にすると判定される場合に第２のモードで動作し、それ以外の場合に第１のモードで動作するように構成されてもよい。これを図５のフローチャートで示す。図５は、ステップ１３０（図４）の一実施形態を示す。ステップ１２０（図４）において通信チャネル３が第２のモードでの動作を容易にすると判定されるかが、ステップ１３１ａにおいて調査される。ステップ１３１ａの回答がｙｅｓの場合、ステップ１３２ａにおいて、無線受信機は第２のモードで動作するように構成される。ステップ１３１ａの回答がｎｏの場合、ステップ１３３ａにおいて、無線受信機は第１のモードで動作するように構成される。図５の実施形態の場合、上述の構成条件、すなわち通信チャネル３が第２のモードでの動作を容易にすると判定されることが唯一の構成条件である。
【００８６】
他の実施形態によると、通信チャネル３が第２のモードでの動作を容易にすると判定され且つ少なくとも１つの追加の構成条件が満たされる場合、ステップ１３０（図４）において、無線受信機は第２のモードで動作するように構成される。そのような一実施形態の一例を図６のフローチャートで示す。図６は、ステップ１３０（図４）の別の実施形態を示す。ステップ１２０（図４）において通信チャネル３が第２のモードでの動作を容易にすると判定されるかが、ステップ１３１ｂにおいて調査される。ステップ１３１ｂの回答がｎｏの場合、ステップ１３３ｂにおいて、無線受信機４は第１のモードで動作するように構成される。ステップ１３１ｂの回答がｙｅｓの場合、ステップ１３４において、受信されるデータのデータレートを示す制御データが抽出される。ステップ１３４で抽出された制御データは、通信チャネル３を介して受信される制御データであってもよい。ＨＳＤＰＡの一実施形態において、制御データはＨＳ−ＳＣＣＨを介して受信される。ステップ１３５において、ステップ１３４で抽出された制御データは、受信されるデータが高速データレートで通信チャネル３を介して送信されると予想されることを示すかが判定される。すなわち、本実施形態において、１つの構成条件は、受信されるデータが高速データレートで通信チャネル３を介して送信されると予想されることである。ステップ１３５の回答がｙｅｓの場合、ステップ１３２ｂにおいて、無線受信機は第２のモードで動作するように構成される。ステップ１３５の回答がｎｏの場合、ステップ１３３ｂにおいて、無線受信機は第１のモードで動作するように構成される。
【００８７】
図５の実施形態と比較して、図６の実施形態の利点は、第２のモードへの不必要な構成が回避されてもよいことである。例えば低速データレートのみが使用される場合、第２のモードは必要とされず、チャネル条件が第２のモードでの動作を容易にする条件と容易にしない条件との境界で変動する場合、無線受信機４を第１のモードで動作させて第１のモードと第２のモードとを頻繁に切り替えることを回避することは、受信機のロバスト性に対して有益だろう。
【００８８】
いくつかの実施形態によると、ステップ１３５での判定の際に基づく制御データは、受信されるデータに対して使用されるデータレートを明示的に示す情報を含む。ステップ１３４は、制御データから前記明示的な情報を抽出することを含んでもよい。
【００８９】
ＨＳＤＰＡにおいて、ＨＳ−ＰＤＳＣＨを介して送信されるデータに対して使用されるデータレートを明示的に示す情報は、ＨＳ−ＳＣＣＨを介して送信される制御データに含まれる。しかし、ＨＳ−ＰＤＳＣＨ及びＨＳ−ＳＣＣＨの相互のタイミングは、データレートの明示的な情報が関連するＨＳ−ＰＤＳＣＨでのデータの受信が、無線受信機４が前記明示的な情報を受信する前に開始されるようなタイミングである。従って、ＨＳＤＰＡにおいて、データがＨＳ−ＰＤＳＣＨを介して受信される前に無線受信機の構成が実行される必要があるため、ＨＳ−ＳＣＣＨを介して送信されるデータレートの明示的な情報は、ステップ１３５の判定に対する基礎として使用されない。しかし、データがＨＳ−ＰＤＳＣＨを介して送信される前に、他の情報はＨＳ−ＳＣＣＨを介して送信される。そのような他の情報は、受信されるデータが高速データレートで送信される可能性が高いかを示す。従って、他の情報はステップ１３５の判定に対する基礎として使用されてもよい。他の情報の例は、拡散符号又はデータパケットチャネライゼーションコードの数及び変調方式である。ＨＳＤＰＡにおいて、１〜１５個のデータパケットチャネライゼーションコードが使用されてもよい。データパケットチャネライゼーションコードの数が多いほど、より高速なデータレートを示す。更に、ＨＳＤＰＡで使用される変調方式は、４相位相変調（ＱＰＳＫ）又は１６値直交振幅変調（１６−ＱＡＭ）である。
【００９０】
一実施形態によると、ステップ１３５は、制御データからデータパケットチャネライゼーションコードの数を抽出することを含む。前記データパケットチャネライゼーションコードの数が閾値以上である場合、受信されるデータは高速データレートで通信チャネル３を介して送信されると予想される。ＨＳＤＰＡの一実施形態によると、閾値は１５（すなわち、コードの最大数）である。ＨＳＤＰＡの別の実施形態によると、閾値は１１であり、これは１０Ｍｂｉｔ／ｓのデータレートを可能にするのに必要なデータパケットチャネライゼーションコードの最小数である。ＨＳＤＰＡのデータパケットチャネライゼーションコード毎のデータレートの理論上の最大値は０．９３Ｍｂｉｔ／ｓである。当然、適切な閾値は種々の応用例及び受信機の実現例の間で異なってもよい。従って、所定の例は限定されるものであると考えられるべきではない。
【００９１】
別の実施形態によると、ステップ１３４は、制御データから変調方式を抽出することを含む。特定の変調方式が使用される場合、受信されるデータは高速データレートで通信チャネル３を介して送信されると予想される。特定の変調方式は、種々の応用例において異なってもよい。ＨＳＤＰＡの一実施形態によると、特定の変調方式は１６−ＱＡＭである。
【００９２】
ステップ１３５の判定は、データパケットチャネライゼーションコードの数及び変調方式の組合せに基づいてもよい。ＨＳＤＰＡのいくつかの実施形態によると、変調方式１６−ＱＡＭと共に少なくともNth個のデータパケットチャネライゼーションコードが使用される場合、受信されるデータは、ステップ１３５において高速データレートで送信されると予想されると判定される。Nthは閾値レベルである。特定の一実施形態によると、Nthは１５である。変調方式１６−ＱＡＭと共に１５個のデータパケットチャネライゼーションコードが、ＨＳＤＰＡにおいて高速データレート（１４Ｍｂｉｔ／ｓ）で使用される。ＨＳＤＰＡの他の実施形態によると、Nthは１１、１２、１３又は１４である。当然、Nthの適切な値は種々の応用例及び受信機の実現例の間で異なってもよい。従って、所定の例は限定するものであると考えられるべきではない。
【００９３】
一実施形態によると、制御データは受信されるデータに対する符号化速度を含む。ステップ１３４は、制御データから符号化速度を抽出することを含んでもよい。
【００９４】
いくつかの実施形態によると、ステップ１３２ａ（図５）及びステップ１３２ｂ（図６）は、無線受信機４のＡＧＣユニット４５（図２）をロックすることを含む。あるいは、ステップ１３２ａ（図５）及びステップ１３２ｂ（図６）は、第１のモードでの動作と比較してＶＧＡ４１（図２）の利得の調整を減少するようにＡＧＣユニット４５を構成することを含んでもよい。例えば、ＡＧＣユニット４５の更新期間は、第１のモードでの動作と比較して増加されてもよく、あるいはＡＧＣユニット４５は、信号レベルが例えば事前定義されてもよい閾値を超えるように変更される場合にのみＶＧＡ４１の利得を更新するように構成されてもよい。
【００９５】
更に、ステップ１３２ａ（図５）及びステップ１３２ｂ（図６）は、ＤＣブロックユニット４２（図２）を無効にすること又はフィルタ４２ａの遮断周波数を第２の値に設定することを代わりに又は更に含んでもよい。同様に、ステップ１３３ａ（図５）及びステップ１３３ｂ（図６）は、ＤＣブロックユニット４２を有効にすること又はフィルタ４２ａの遮断周波数を第１の値に設定することを含んでもよい。
【００９６】
種々の実施形態を使用して上述した方法は、例えばパケットによるデータ通信環境において受信されるデータのパケット毎に実行されてもよい。あるいは、方法は、データのパケットの２つ毎、３つ毎又は４つ毎等、定期的又は不定期に実行されてもよい。
【００９７】
ＨＳＤＰＡ等における最大データレートに対処する従来の解決策において、通常、例えば雑音指数、周波数及びタイミングのずれ、位相雑音、イメージ除去及び受信信号に対するＤＣオフセットの提供に関する相対的に厳しい回路要求を含む無線設計が採用される。そのような要求は、例えば通常最大データレートより頻繁に使用されるＨＳＤＰＡにおける低速データレートに対して必要以上に厳しい可能性がある。ＨＳＤＰＡにおいて全ての使用可能なデータレートの受信を容易にするように、広範な種々のチャネル条件下での動作に対して設計されるＡＧＣループ等における回路網は、前記低速データレートで動作する場合に、必要以上に大きなチップ領域を占有し且つ必要以上に大量の電力を消費する。
【００９８】
本明細書において説明する実施形態において、無線受信機４は、適切なチャネル条件下、すなわち第２のモードでの動作を容易にするチャネル条件下において第２のモードで動作するように構成される。無線受信機４は、チャネルにおいて発生する信号劣化を補償するために、例えば第２のモードでの動作を容易にしないチャネル条件等の低品質のチャネル条件下で使用される無線受信機４の部品を無効及び／又は適応させることにより第２のモードで動作するように構成される。この構成により、無線受信機４は、上述のように、他の構成では必要とされる相対的に厳しい要求を含む無線設計を採用せずにＨＳＤＰＡにおける最大データレート（１０Ｍｂｉｔ／ｓ以上のデータレート等）の使用を可能にするチャネル条件下でそれら最大データレートに対処できる。これにより、例えば回路領域及び消費電力等に関して相対的に低コストの無線受信機回路網が取得されるという点で、無線受信機の複雑さは軽減される。これは１つの利点である。
【００９９】
無線受信機４は、例えば通信ユニットに含まれてもよい。通信ユニットは、例えば移動通信ユニット１（図１）、携帯又はハンドヘルド移動無線通信ユニット、移動無線端末、移動電話、通信機、電子オーガナイザ又はスマートフォン等であってもよいが、それらに限定されない。
【０１００】
本発明は、コンピュータプログラム製品に組み込まれてもよく、本明細書において説明する方法及び機能の実現を可能にする。本発明は、コンピュータプログラム製品がコンピュータ機能を有するシステムにロードされ且つ実行される時に実行されてもよい。本明細書におけるコンピュータプログラム、ソフトウェアプログラム、プログラム製品又はソフトウェアは、処理機能を有するシステムに特定の機能を直接実行させること、あるいは別の言語、コード又は表記法に変換後に実行させることを意図した命令の集合を任意のプログラミング言語、コード又は表記法で表す任意の表現を意味する。
【０１０１】
本発明について、特定の実施形態を参照して上述した。しかし、上述以外の実施形態が本発明の範囲内で可能である。ハードウェア又はソフトウェアにより方法を実行する上述の方法ステップ以外の方法ステップは、本発明の範囲内で提供されてもよい。本発明の異なる特徴及びステップは、上述以外の組合せで組み合わされてもよい。本発明の範囲は、添付の請求の範囲によってのみ限定される。
【図１】
2009544207.tif 000003
【図２】
2009544207.tif 000004
【図３ａ】
2009544207.tif 000005
【図３ｂ】
2009544207.tif 000006
【図３ｃ】
2009544207.tif 000007
【図４】
2009544207.tif 000008
【図５】
2009544207.tif 000009
【図６】
2009544207.tif 000010
【手続補正書】
【提出日】平成20年5月24日(2008.5.24)
【手続補正１】
【補正対象書類名】特許請求の範囲
【補正対象項目名】全文
【補正方法】変更
【補正の内容】
【特許請求の範囲】
【請求項１】
第１のモード及び第２のモードで通信チャネル（３）を介してデータを交互に受信するように構成される無線受信機（４）を動作させる方法であって、
前記第２のモードは前記第１のモードより速いデータレートでデータを受信することを容易にし、
前記通信チャネル（３）の品質条件を判定するステップと、
前記通信チャネル（３）が前記第２のモードでの動作を容易にするかを前記品質条件に基づいて判定するステップと、
少なくとも１つの構成条件であって、そのうちの１つが前記通信チャネル（３）が前記第２のモードでの動作を容易にすると判定されることである構成条件を評価するステップと、
−前記少なくとも１つの構成条件の全てが満たされる場合に前記第２のモードで動作し、
−それ以外の場合に前記第１のモードで動作する
ように前記無線受信機（４）を構成するステップと、
を有し、
前記無線受信機（４）を前記第２のモードで動作するように構成する前記ステップは、該無線受信機の自動利得制御ループ（３０）の自動利得制御ユニット（４５）をロックするステップを含む
ことを特徴とする方法。
【請求項２】
前記無線受信機（４）を前記第１のモードで動作するように構成する前記ステップは、前記自動利得制御ループ（３０）のＤＣブロックユニット（４２）を有効にするステップを含み、
前記無線受信機（４）を前記第２のモードで動作するように構成する前記ステップは、前記ＤＣブロックユニット（４２）を無効にするステップを含む
ことを特徴とする請求項１記載の方法。
【請求項３】
前記無線受信機（４）を前記第１のモードで動作するように構成する前記ステップは、前記自動利得制御ループ（３０）のＤＣブロックユニット（４２）のフィルタ（４２ａ）の遮断周波数を第１の値に設定するステップを含み、
前記無線受信機（４）を前記第２のモードで動作するように構成する前記ステップは、前記フィルタ（４２ａ）の遮断周波数を第２の値に設定するステップを含み、
前記第１の値は前記第２の値より大きい
ことを特徴とする請求項１記載の方法。
【請求項４】
前記品質条件は、前記通信チャネル（３）の信号対干渉比であることを特徴とする請求項１から３のいずれか１項に記載の方法。
【請求項５】
前記通信チャネル（３）が前記第２のモードでの動作を容易にするかを判定する前記ステップは、
−前記信号対干渉比が閾値を超える場合に、前記通信チャネル（３）が前記第２のモードでの動作を容易にすると判定するステップと、
−それ以外の場合に、前記通信チャネル（３）が前記第２のモードでの動作を容易にしないと判定するステップと、
を含むことを特徴とする請求項４記載の方法。
【請求項６】
データの受信が前記第１のモードではなく前記第２のモードで容易に行われる任意のデータレートで、受信されるデータが前記通信チャネル（３）を介して送信されると予想されるかを前記通信チャネル（３）を介して受信される制御データに基づいて判定するステップを更に含み、
前記少なくとも１つの構成条件の１つは、データの受信が前記第１のモードではなく前記第２のモードで容易に行われる前記任意のデータレートで、受信される前記データが前記通信チャネル（３）を介して送信されると予想されることである
ことを特徴とする請求項１から５のいずれか１項に記載の方法。
【請求項７】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用されるデータパケットチャネライゼーションコードの数を前記制御データから導出するステップと、
データの受信が前記第１のモードではなく前記第２のモードで容易に行われる前記任意のデータレートで、受信される前記データが前記通信チャネル（３）を介して送信されると予想されるかを前記データパケットチャネライゼーションコードの数に基づいて判定するステップと、
を含むことを特徴とする請求項６記載の方法。
【請求項８】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用される変調方式を前記制御データから導出するステップと、
データの受信が前記第１のモードではなく前記第２のモードで容易に行われる前記任意のデータレートで、受信される前記データが前記通信チャネルを介して送信されると予想されるかを前記変調方式に基づいて判定するステップと
を含むことを特徴とする請求項６又は７記載の方法。
【請求項９】
データの受信が前記第１のモードではなく前記第２のモードで容易に行われる前記任意のデータレートで、受信される前記データが前記通信チャネル（３）を介して送信されると予想されるかを判定する前記ステップは、
受信される前記データに対して使用される符号化速度を前記制御データから導出するステップと、
データの受信が前記第１のモードではなく前記第２のモードで容易に行われる前記任意のデータレートで、受信される前記データが前記通信チャネル（３）を介して送信されると予想されるかを前記符号化速度に基づいて判定するステップと、
を含むことを特徴とする請求項６から８のいずれか１項に記載の方法。
【請求項１０】
前記通信チャネル（３）は、高速ダウンリンクパケットアクセス通信チャネルであることを特徴とする請求項１から８のいずれか１項に記載の方法。
【請求項１１】
前記通信チャネル（３）は、直交周波数分割多重通信チャネルであることを特徴とする請求項１から９のいずれか１項に記載の方法。
【請求項１２】
コンピュータプログラムコードがコンピュータ機能を有する電子デバイスにより実行される時に請求項１から１１のいずれか１項に記載の方法を実行するための前記コンピュータプログラムコードを含むコンピュータプログラム。
【請求項１３】
コンピュータプログラムコードがコンピュータ機能を有する電子デバイスにより実行される時に請求項１から１１のいずれか１項に記載の方法を実行するための前記コンピュータプログラムコードを含むコンピュータプログラムを格納したコンピュータ可読媒体。
【請求項１４】
第１のモード及び第２のモードで通信チャネル（３）を介してデータを交互に受信するように構成される無線受信機（４）であって、
前記第２のモードが前記第１のモードより速いデータレートでデータを受信することを容易にし、
前記通信チャネル（３）の品質条件を判定するように構成された信号処理ユニット（４６）と、
可変利得増幅器（４１）と、当該可変利得増幅器（４１）の利得を制御するように構成された自動利得制御ユニット（４５）と、を備えた自動利得制御ループ（３０）と、
制御ユニット（４７）であって、
前記通信チャネル（３）が前記第２のモードでの動作を容易にするかを前記品質条件に基づいて判定し、少なくとも１つの構成条件であって、そのうちの１つが前記通信チャネル（３）が前記第２のモードでの動作を容易にすると判定されることである、構成条件を評価し、
−前記少なくとも１つの構成条件の全てが満たされる場合に前記第２のモードで動作し、
−それ以外の場合に前記第１のモードで動作するように前記無線受信機（４）を構成するように構成された、
制御ユニット（４７）と、
を具備し、
前記制御ユニット（４７）は、前記第２のモードにおいて前記自動利得制御ユニット（４５）をロックするように構成される
ことを特徴とする無線受信機（４）。
【請求項１５】
前記自動利得制御ループ（３０）はＤＣブロックユニット（４２）を具備することを特徴とする請求項１４記載の無線受信機（４）。
【請求項１６】
前記制御ユニット（４７）は、前記第１のモードでは前記ＤＣブロックユニット（４２）を有効にし、前記第２のモードでは前記ＤＣブロックユニット（４２）を無効にする
ように構成されることを特徴とする請求項１５記載の無線受信機（４）。
【請求項１７】
前記ＤＣブロックユニット（４２）はフィルタ（４２ａ）を具備し、
前記制御ユニット（４７）は、前記フィルタ（４２ａ）の遮断周波数を前記第１のモードでは第１の値に設定し、前記第２のモードでは第２の値に設定するように構成され、
前記第１の値は前記第２の値より大きい
ことを特徴とする請求項１５記載の無線受信機（４）。
【請求項１８】
前記品質条件は、前記通信チャネル（３）の信号対干渉比であることを特徴とする請求項１４から１７のいずれか１項に記載の無線受信機（４）。
【請求項１９】
前記制御ユニット（４７）は、前記信号対干渉比が閾値を超える場合に前記通信チャネル（３）が前記第２のモードでの動作を容易にすると判定するように構成されることを特徴とする請求項１８記載の無線受信機（４）。
【請求項２０】
前記信号処理ユニット（４６）は、受信信号から制御データを抽出するように更に構成され、
前記制御ユニット（４７）は、データの受信が前記第１のモードではなく前記第２のモードで容易に行われる任意のデータレートで、受信されるデータが前記通信チャネル（３）を介して送信されると予想されるかを前記制御データに基づいて判定するように更に構成され、
前記少なくとも１つの構成条件の１つは、データの受信が前記第１のモードではなく前記第２のモードで容易に行われる前記任意のデータレートで、受信される前記データが前記通信チャネル（３）を介して送信されると予想されることである
ことを特徴とする請求項１４から１９のいずれか１項に記載の無線受信機（４）。
【請求項２１】
前記制御ユニット（４７）は、
受信される前記データに対して使用されるデータパケットチャネライゼーションコードの数を前記制御データから導出し、
データの受信が前記第１のモードではなく前記第２のモードで容易に行われる前記任意のデータレートで、受信される前記データが前記通信チャネル（３）を介して送信されると予想されるかを前記データパケットチャネライゼーションコードの数に基づいて判定する
ように更に構成されることを特徴とする請求項２０記載の無線受信機（４）。
【請求項２２】
前記制御ユニット（４７）は、
受信される前記データに対して使用される変調方式を前記制御データから導出し、
データの受信が前記第１のモードではなく前記第２のモードで容易に行われる前記任意のデータレートで、受信される前記データが前記通信チャネル（３）を介して送信されると予想されるかを前記変調方式に基づいて判定する
ように更に構成されることを特徴とする請求項２０又は２１記載の無線受信機（４）。
【請求項２３】
前記制御ユニット（４７）は、
受信される前記データに対して使用される符号化速度を前記制御データから導出し、
データの受信が前記第１のモードではなく前記第２のモードで容易に行われる前記任意のデータレートで、受信される前記データが前記通信チャネル（３）を介して送信されると予想されるかを前記符号化速度に基づいて判定する
ように更に構成されることを特徴とする請求項２０から２２のいずれか１項に記載の無線受信機（４）。
【請求項２４】
前記通信チャネル（３）は、高速ダウンリンクパケットアクセス通信チャネルであることを特徴とする請求項１４から２２のいずれか１項に記載の無線受信機（４）。
【請求項２５】
前記通信チャネル（３）は、直交周波数分割多重通信チャネルであることを特徴とする請求項１４から２３のいずれか１項に記載の無線受信機（４）。
【請求項２６】
請求項１４から２５のいずれか１項に記載の無線受信機（４）を具備する通信ユニット（１）。
【請求項２７】
前記通信ユニットは、携帯又はハンドヘルド移動無線通信ユニットと、移動無線端末と、移動電話と、ページャと、通信機と、電子オーガナイザと、スマートフォンとのいずれか１つであることを特徴とする請求項２６記載の通信ユニット（１）。
【国際調査報告】
2009544207.tif 000011
2009544207.tif 000012
2009544207.tif 000013